(57)【要約】【課題】室外機の小型化を図るとともに美感を向上できる空気調和機を提供する。【解決手段】室内機２と室外機３とを冷媒が流通する複数の配管１５により接続する空気調和機１において、室外機３は、本体筐体を形成するキャビネット６と、配管１５を接続する複数の継手１３と、冷媒の流量を可変する弁１２と、キャビネット６の側面８に突出して設けられるとともに継手１３または弁１２が前面及び背面に分散して取り付けられる接続部９と、キャビネット６の側板８ａ、８ｂ下部に開口するとともに接続部９の前方に配される第１開口部１４ａと、キャビネット６の側面８下部に開口するとともに接続部９の後方に配される第２開口部１４ｂと、接続部９と継手１３と弁１２とを覆ってキャビネット６に取り付けられるとともに第１、第２開口部１４ａ、１４ｂに結露水を導く第１、第２案内部２１、２２を内面に有した接続部カバー２０とを有する。【選択図】図３
2009133532.tif 000002
【特許請求の範囲】
【請求項１】
室内機と室外機とを冷媒が流通する複数の配管により接続する空気調和機において、前記室外機は、本体筐体を形成するキャビネットと、前記配管を接続する複数の継手と、冷媒の流量を可変する弁と、前記キャビネットの一側面に突出して設けられるとともに前記継手または前記弁が前面及び背面に分散して取り付けられる接続部と、前記キャビネットの該側面下部に開口するとともに前記接続部の前方に配される第１開口部と、前記キャビネットの該側面下部に開口するとともに前記接続部の後方に配される第２開口部と、前記接続部と前記継手と前記弁とを覆って前記キャビネットに取り付けられるとともに第１、第２開口部に結露水を導く第１、第２案内部を内面に有した接続部カバーと、を有することを特徴とする空気調和機。
【請求項２】
第１、第２開口部を前記接続部の下端よりも上方に配置したことを特徴とする請求項１に記載の空気調和機。
【請求項３】
前記接続部に嵌合するリブを前記接続部カバーの内面底部に立設したことを特徴とする請求項１または請求項２に記載の空気調和機。
【請求項４】
前記接続部カバーの前記キャビネットに対向する面にパッキンまたはシール材を設けたことを特徴とする請求項１〜請求項３のいずれかに記載の空気調和機。
【発明の詳細な説明】
【技術分野】
【０００１】
本発明は、室内機と室外機とを冷媒が流通する複数の配管により接続する空気調和機に関する。
【背景技術】
【０００２】
図８は従来の空気調和機の室外機を示している。室外機３は本体筐体を形成するキャビネット６により覆われ、キャビネット６の側面８には上下に延びる接続部９が突出して設けられる。接続部９の背面には配管（不図示）を接続する複数の継手（不図示）が取り付けられる。配管を介して室外機３と室内機とが接続され、配管内を冷媒が流通して冷凍サイクルが運転される。
【０００３】
接続部９の前面には冷媒の流量を可変する複数の弁１２が取り付けられる。接続部９の下方には結露水を受けるトレイ１０が設けられる。トレイ１０の背面には結露水を排水する排水ホース１１が取り付けられる。
【０００４】
冷凍サイクルの運転により継手及び弁１２に発生する結露はトレイ１０に滴下し、排水ホース１１によって所望の場所に排水される。
【０００５】
上記構成の空気調和機によると、継手及び弁１２の結露水を排水するためにトレイ１０及び排水ホース１１を必要とする。このため、部品点数が多くなり、据付工事作業が多くなる問題があった。
【０００６】
上記問題を解決するために、結露水を室外機３の内部に導く空気調和機が特許文献１に開示されている。この空気調和機は室外機の側面に複数の配管を接続する複数の弁が取り付けられる。室外機には弁を覆うカバーが取り付けられる。室外機の側面には弁の下方に開口部が設けられる。開口部は室外機側面に下端が連続する切り起こし（第３図、フランジ１４）により形成され、上方に向かって開口する。カバーは下端を折曲して開口部内に挿入される傾斜面が設けられる。
【０００７】
冷凍サイクルの運転により弁に発生する結露はカバー内に滴下し、下端の傾斜面によって室外機の内部に導かれる。
【０００８】
【特許文献１】実開昭６２−７７７３０号（第３頁、第３図、第４図）
【発明の開示】
【発明が解決しようとする課題】
【０００９】
しかしながら、上記特許文献１に開示された空気調和機によると、カバーの下端に傾斜面が設けられる。このため、配管を分配する接続部９（図８参照）を設けた際に接続部９の下方に開口部及び傾斜面を設けるスペースが必要となり、室外機が大きくなる問題があった。
【００１０】
本発明は、室外機の小型化を図ることのできる空気調和機を提供することを目的とする。
【課題を解決するための手段】
【００１１】
上記目的を達成するために本発明は、室内機と室外機とを冷媒が流通する複数の配管により接続する空気調和機において、前記室外機は、本体筐体を形成するキャビネットと、前記配管を接続する複数の継手と、冷媒の流量を可変する弁と、前記キャビネットの一側面に突出して設けられるとともに前記継手または前記弁が前面及び背面に分散して取り付けられる接続部と、前記キャビネットの該側面下部に開口するとともに前記接続部の前方に配される第１開口部と、前記キャビネットの該側面下部に開口するとともに前記接続部の後方に配される第２開口部と、前記接続部と前記継手と前記弁とを覆って前記キャビネットに取り付けられるとともに第１、第２開口部に結露水を導く第１、第２案内部を内面に有した接続部カバーと、を有することを特徴としている。
【００１２】
この構成によると、室外機の側面には継手及び弁が接続される接続部が設けられる。継手及び弁は接続部の前面及び背面に分散して取り付けられ、接続部の前方及び後方に室外機の側面に沿って配される。室内機に接続された配管は継手に接続される。配管を冷媒が流通して冷凍サイクルが運転される。接続部、継手及び弁は接続部カバーにより覆われる。室外機の側面には第１、第２開口部が設けられ、接続部カバーの内面には第１、第２案内部が設けられる。継手及び弁で結露した結露水は接続部カバーに滴下し、第１、第２案内部によって第１、第２開口部に導かれる。
【００１３】
また本発明は、上記構成の空気調和機において、第１、第２開口部を前記接続部の下端よりも上方に配置したことを特徴としている。この構成によると、室外機の下端近傍まで接続部を配置できる。
【００１４】
また本発明は、上記構成の空気調和機において、前記接続部に嵌合するリブを前記接続部カバーの内面底部に立設したことを特徴としている。この構成によると、接続部にリブが嵌合し、リブの外側に配置した第１、第２案内部に結露水が流れる。
【００１５】
また本発明は、上記構成の空気調和機において、前記接続部カバーの前記キャビネットに対向する面にパッキンまたはシール材を設けたことを特徴としている。この構成によると、接続部カバーはゴム等の防水用パッキンや、ポリエチレン、ポリウレタン等の防水用シール材を介してキャビネットに密着する。
【発明の効果】
【００１６】
本発明によると、接続部の前面及び背面に分散して継手または弁を設けたので、複数の室内機を接続しても多数の配管を容易に接続することができる。また、接続部の前後に配される第１、第２開口部に結露水を導く第１、第２案内部を接続部カバーの内面に設けたので、接続部の下方を覆う接続部カバーの下端に傾斜面を設ける必要がない。これにより、接続部を室外機の下端近傍まで配置して、室外機の小型化を図ることができる。
【００１７】
また、継手及び弁の結露水を排水するためにトレイや排水ホースを必要としない。更に、前後に配される第１、第２開口部によって前後に分散する継手や弁の結露水を容易に回収することができる。
【００１８】
また本発明によると、第１、第２開口部を接続部の下端よりも上方に配置したので、室外機の下端により近い位置まで接続部を配置できる。従って、室外機の小型化をより図ることができる。
【００１９】
また本発明によると、接続部に嵌合するリブを接続部カバーの内面底部に立設したので、接続部に沿って流下する結露水を第１、第２案内部に確実に導くことができる。また、継手及び弁に発生する結露水をせき止め、第１、第２案内部に確実に溜めることができる。
【００２０】
また本発明によると、接続部カバーのキャビネットに対向する面にパッキンまたはシール材を設けたので、接続部カバーとキャビネットとの隙間からの漏水を防止できる。
【発明を実施するための最良の形態】
【００２１】
以下に本発明の実施形態を図面を参照して説明する。図１は一実施形態の空気調和機を示す斜視図である。説明の便宜上、前述の図８に示す従来例と同様の部分には同一の符号を付している。
【００２２】
空気調和機１は屋内に配される室内機２と屋外に配される室外機３とが冷媒が流通する配管１５により接続される。配管１５内を冷媒が流通して冷凍サイクルが運転される。室外機３は本体筐体を形成するキャビネット６により覆われる。キャビネット６の側面８には側板８ａ、８ｂ（図２参照）が設けられる。側板８ａ、８ｂの間に設けた接続部９（図２参照）に接続部カバー２０が取り付けられている。同一部材によって側板８ａ、８ｂをキャビネット６と一体に形成してもよい。
【００２３】
図２、図３は室外機３の接続部カバー２０を取り外した状態を示す斜視図及び側面図である。前後に配された側板８ａ、８ｂの間には上下に延びる接続部９が突出して設けられる。接続部９はキャビネット６等の内部の適所にネジ等によって取り付けられている。接続部９の背面には配管１５を接続する複数の継手１３が取り付けられ、室外機３の側板８ｂに沿って継手１３が配される。
【００２４】
接続部９の前面には冷媒の流通量を可変する複数の弁１２が取り付けられ、室外機３の側板８ａに沿って弁１２が配される。これにより、室外機３を複数の室内機２に接続して配管１５の数が多くなった場合でも接続部９で分配して容易に取り付けることができる。弁１２は２方弁、３方弁等から成る。
【００２５】
側板８ａ、８ｂには接続部９の前方及び後方にそれぞれ第１、第２開口部１４ａ、１４ｂが開口する。第１、第２開口部１４ａ、１４ｂは接続部９の下端よりも上方に配される。接続部カバー２０は接続部９、継手１３及び弁１２を覆うように接続部９に取り付けられる。これにより、室外機３の美感を向上することができる。
【００２６】
図４、図５は接続部カバー２０の表面側及び裏面側の斜視図を示している。接続部カバー２０はキャビネット６側を開口する箱状に形成された樹脂成形品から成る。接続部カバー２０の上部及び下部にはボス内にネジ孔２０ａが形成される。ネジ孔２０ａに挿通したネジ（不図示）を接続部９のネジ孔９ａ（図３参照）に螺合して接続部カバー２０が取り付けられる。接続部カバー２０の後方側には配管１５（図３参照）が通る開口部２０ｂが設けられる。
【００２７】
接続部カバー２０の内面底部には接続部９の前面及び背面に嵌合するリブ２３が立設される。リブ２３の両側には接続部カバー２０内に発生する結露水を第１、第２開口部１４ａ、１４ｂに導く第１、第２案内部２１、２２が設けられる。
【００２８】
第１、第２案内部２１、２２は接続部カバー２０の内面側の底面、溝部２１ｂ、２２ｂを有した当接部２１ａ、２２ａ、及びリブ２３に囲まれる。溝部２１ｂ、２２ｂは当接部２１ａ、２２ａの上部を切欠いて形成される。
【００２９】
図６の側面断面図に示すように、第１、第２案内部２１、２２を構成する接続部カバー２０の内面側の底面は曲面の傾斜面２１ｃ、２２ｃ（２２ｃは不図示）になっている。溝部２１ｂ、２２ｂの下端は傾斜面２１ｃ、２２ｃの終端にそれぞれ一致し、溝部２１ｂ、２２ｂの先端は第１、第２開口部１４ａ、１４ｂ内に挿通されている。
【００３０】
上記構成の空気調和機１において、配管１５を冷媒が流通して冷凍サイクルが運転され、室内機２により室内の空気調和が行われる。一部の配管１５は低温になるため、継手１３及び弁１２に結露が発生する。継手１３及び弁１２に発生した結露水は接続部カバー２０内に滴下する。
【００３１】
接続部カバー２０内に滴下した結露水は第１、第２案内部２１、２２の傾斜面２１ｃ、２２ｃを流下し、溝部２１ｂ、２２ｂから第１、第２開口部１４ａ、１４ｂに導かれる。第１、第２開口部１４ａ、１４ｂから室外機３に流入した結露水は室外機３の底面の底板（不図示）に取り付けられた排水ホース（不図示）を介して排水される。
【００３２】
本実施形態によると、接続部９の前面及び背面に分散して継手１３及び弁１２を設けたので、複数の室内機２を接続しても多数の配管１５を容易に接続することができる。また、接続部９の前後に配される第１、第２開口部１４ａ、１４ｂに結露水を導く第１、第２案内部２１、２２を接続部カバー２０の内面に設けたので、接続部９の下方を覆う接続部カバー２０の下端に従来のように傾斜面を設ける必要がない。これにより、接続部９を室外機３の下端近傍まで配置して、室外機３の小型化を図ることができる。
【００３３】
また、前後に配される第１、第２開口部１４ａ、１４ｂによって前後に分散する継手１３や弁１２の結露水を容易に回収することができる。
【００３４】
また、第１、第２開口部１４ａ、１４ｂを接続部９の下端よりも上方に配置したので、室外機３の下端により近い位置まで接続部９を配置できる。従って、室外機３の小型化をより図ることができる。
【００３５】
また、接続部９に嵌合するリブ２３を接続部カバー２０の内面底部に立設したので、接続部９に沿って流下する結露水がリブ２３の外側を流れる。従って、結露水を第１、第２案内部２１、２２に確実に導くことができる。
【００３６】
また、当接部２１ａ、２２ａは広い面積で側板８ａ、８ｂに接するので、接続部カバー２０とキャビネット６との隙間からの漏水を防止できる。接続部カバー２０のキャビネット６に対向する面にパッキンやシール材を設けるとより望ましい。これにより、側板８ａ、８ｂと接続部カバー２０との隙間からの漏水をより確実に防止できる。特に、当接部２１ａ、２２ａの上端部分にパッキンやシール材を設けると更に望ましい。
【００３７】
また、接続部カバー２０と接続部９との面接部分にパッキンやシール材を設けてもよい。これにより、接続部カバー２０と接続部９との隙間からの漏水をより確実に防止できる。尚、パッキンとしてゴム等の防水用パッキンを用いることができる。シール材としてポリエチレン、ポリウレタン等の防水用シール材を用いることができる。
【００３８】
本実施形態において、継手１３を接続部９の前面及び背面に分散して設けてもよく、弁１２を接続部９の前面及び背面に分散して設けてもよい。更に、接続部９に弁１２が取り付けられない場合に継手１３を接続部９の前面及び背面に分散して設けてもよい。
【００３９】
また、第１、第２案内部２１、２２は第１、第２開口部１４ａ、１４ｂに結露水を導くように形成されていればよい。例えば、傾斜面２１ｃ、２２ｃを水平面にしてもよい。
【００４０】
また、図７に示すように、溝部２１ｂ、２２ｂ（２２ｂは不図示）の先端を側板８ａ、８ｂに当接させてもよい。溝部２１ｂ、２２ｂの下端は第１、第２開口部１４ａ、１４ｂの下端に一致し、結露水は第１、第２開口部１４ａ、１４ｂに導かれる。溝部２１ｂ、２２ｂの下端を第１、第２開口部１４ａ、１４ｂの下端よりも上方または下方にずらしてもよい。
【産業上の利用可能性】
【００４１】
本発明によると、室内機と室外機とを冷媒が流通する複数の配管により接続する空気調和機に利用することができる。
【図面の簡単な説明】
【００４２】
【図１】本発明の実施形態の空気調和機を示す斜視図
【図２】本発明の実施形態の空気調和機の室外機を示す斜視図
【図３】本発明の実施形態の空気調和機の室外機を示す側面図
【図４】本発明の実施形態の空気調和機の室外機の接続部カバーの表面側の斜視図
【図５】本発明の実施形態の空気調和機の室外機の接続部カバーの裏面側の斜視図
【図６】本発明の実施形態の空気調和機の室外機の接続部カバーの取付け状態を示す側面断面図
【図７】本発明の実施形態の空気調和機の室外機の他の態様の接続部カバーの取付け状態を示す側面断面図
【図８】従来の空気調和機の室外機を示す斜視図
【符号の説明】
【００４３】
１    空気調和機
２    室内機
３    室外機
６    キャビネット
８ａ、８ｂ  側板
９    接続部
１０    トレイ
１２    弁
１３    継手
１４ａ  第１開口部
１４ｂ  第２開口部
１５    配管
２０    接続部カバー
２１    第１案内部
２１ａ、２２ａ  当接部
２１ｂ、２２ｂ  溝部
２１ｃ、２２ｃ  傾斜面
２２    第２案内部
２３    リブ
【図１】
2009133532.tif 000003
【図２】
2009133532.tif 000004
【図３】
2009133532.tif 000005
【図４】
2009133532.tif 000006
【図５】
2009133532.tif 000007
【図６】
2009133532.tif 000008
【図７】
2009133532.tif 000009
【図８】
2009133532.tif 000010